(57)【要約】【課題】汚染された粘着テープを剥離する際に粘着テープが不所望の方向に破けることを防止。使用中にめくり口が不所望に剥離されることを防止。【解決手段】粘着テープロール体１は、巻芯９とその外周面に多重に巻かれた粘着テープとから構成される。粘着テープは、粘着面部４と非粘着部３とを有する。非粘着部３には、めくり口２から粘着面部４に至るまで、軸方向に平行する切り込みが入れられる。また、粘着テープロール体１のめくり口２と反対の側、つまり剥離終端部６側には、所定の長さで軸方向に平行する切り込みが入れられる。そして、両端の軸方向に平行な切り込み切り込みの間には、概略「く」の字形状の「く」字状切り込み５が、短い隙間を挟んで連続して入れられる。【選択図】図１
2012034713.tif 000002
【特許請求の範囲】
【請求項１】
回転式粘着テープクリーナーに装着される、円筒状の巻芯に片面粘着テープを粘着面が表側となるように複数回巻き回した粘着テープロール体において、粘着テープは、粘着部と端部の非粘着部とを有し、かつ、ロール体の略一周毎に粘着テープを引き剥がし易いように切り込みが入れられており、前記切り込みは、前記非粘着部ではロール体の軸心と平行となる方向に入れられており、前記粘着部では概略螺旋状に入れられていることを特徴とする粘着テープロール体。
【請求項２】
前記粘着部での前記切り込みは、小間隔を隔てて形成された「く」の字状の複数の切り込みによって構成されていることを特徴とする請求項１に記載の粘着テープロール体。
【請求項３】
前記「く」の字状の切り込みは、短辺部とこれより長い長辺部とを有しており、前記短辺部はロール体の軸心と平行に延在しており、前記長辺部は斜め方向に延在していることを特徴とする請求項２に記載の粘着テープロール体。
【請求項４】
前記非粘着部は、一端部にのみ形成されており、前記非粘着部の形成されていない側の端部においては、切り込みはロール体の軸心と平行に入れられていることを特徴とする請求項１から３のいずれかに記載の粘着テープロール体。
【発明の詳細な説明】
【技術分野】
【０００１】
本発明は、回転式粘着テープクリーナー（以下、粘着クリーナーと呼ぶ）に装着される、円筒状の巻芯に片面粘着テープを粘着面が表側となるように複数回巻き回した粘着テープロール体に関し、特に、使用後の汚染面をめくり口からその外周一面にわたって容易に剥離できるように切り込みを設けた粘着テープロール体に関するものである。
【背景技術】
【０００２】
粘着クリーナーは、カーペットや床、衣類等の、埃や毛屑などを、粘着テープロール体の表側の粘着面に付着させ除去する清掃用具で、粘着テープロール体と、粘着テープロール体を回転させるための回転支持軸とその片端あるいは両端につながる支持柄とから成るものである。粘着テープロール体には、通常、めくり口の切り込みや、剥離するためのミシン目や直線の切り込みが粘着テープの表面から巻芯に至るまで入っている。そして、使用後の汚れた粘着テープ外周面を剥離する際には、支持柄にて粘着テープロール体を押さえ、切り込みに沿って外周面一面を剥離し、廃棄する。
【０００３】
粘着テープロール体から外周面の粘着テープを剥離するためのミシン目や直線の切り込みは、ロール体の軸心に対して平行に設けることが広く行なわれている（例えば、特許文献１参照）。しかし、ミシン目等をロール体の軸心に対して平行に設けたものでは、使用済みの汚染された粘着面の剥離作業の途中で裂け、破れることがよくある。このような不都合を回避するため、ミシン目や直線の切り込みを螺旋状に入れることも提案されている（例えば、特許文献２参照）。
【先行技術文献】
【特許文献】
【０００４】
【特許文献１】特開２００９−２０７９０３号公報
【特許文献２】特開２００５−２７０６４２号公報
【発明の概要】
【発明が解決しようとする課題】
【０００５】
使用後の汚れた粘着テープの外周面を剥離しようとするとき、ユーザは、粘着テープのめくり口を摘まんで上方ないし斜め上方に引き上げる。このとき、粘着テープを破断しようとするせん断応力の作用面は、ロール体の軸心と平行とはならず、むしろロール体の軸心と平行する線と直交する方向となり、平行線に対して大きく傾く。そのため、ミシン目がロール体の軸心と平行に入れられた粘着テープロール体では、軸方向と垂直になる剥離方向に向けてめくる途中で、粘着テープ切断の方向がミシン目から離れて粘着テープが裂け、破れてしまうことがある。その場合、裂け目の汚れた面に触れてめくり直さなければならないことになる。
【０００６】
一方、粘着テープに螺旋状のミシン目が入っている場合には、引き剥がし時に粘着テープに作用するせん断応力の作用面に近い方向にミシン目が入っているため、引き剥がしの途中で粘着テープがミシン目から外れて破けてしまう事故は抑制される。しかし、ミシン目や切れ目が斜め方向に入っていることにより、めくり口とその反対側の剥離終端部では粘着テープの両側で鋭角の部分で下層と粘着することになるため、両端部で粘着力が弱くなり、清掃作業中に、あるいは粘着テープロール体の端部が何かに接触した際に、端部から不所望の剥離が始まってしまう可能性が高くなる。そして、その不所望の剥離は複数層にまとまって起こることがある。
【０００７】
本発明の課題は、上述した従来技術の問題点を解決することであって、その目的は、第１に、使用後の外周面の汚れた粘着テープを引き剥がす際に、不所望の方向に裂けることのないようにすることであり、第２に、不所望に粘着テープの剥離が始まってしまうことのないようにすることである。
【課題を解決するための手段】
【０００８】
上記の目的を達成するための本発明による粘着テープロール体は、回転式粘着テープクリーナーに装着される、円筒状の巻芯に片面粘着テープを粘着面が表側となるように複数回巻き回した粘着テープロール体において、粘着テープは、粘着部と端部の非粘着部とを有し、かつ、ロール体の略一周毎に粘着テープを引き剥がし易いように切り込みが入れられており、前記切り込みは、前記非粘着部ではロール体の軸心と平行となる方向に入れられており、前記粘着部では概略螺旋状に入れられていることを特徴とする。
【０００９】
そして、前記粘着部での前記切り込みは、小間隔を隔てて形成された「く」の字状の複数の切り込みによって構成されていることを特徴とする。また、前記「く」の字状の切り込みは、短辺部とこれより長い長辺部とを有しており、前記短辺部はロール体の軸心と平行に延在しており、前記長辺部は斜め方向に延在していることを特徴とする。そして、好ましくは、前記非粘着部は、一端部にのみ形成されており、前記非粘着部の形成されていない側の端部においては、切り込みはロール体の軸心と平行に入れられていることを特徴とする。
【発明の効果】
【００１０】
本発明によれば、めくり口とその反対側の切り込みを軸方向に平行するように設けてあるため、粘着クリーナーの使用中や粘着テープロール体の端部が何かに接触した際などに、外周の粘着テープが不所望にめくれ、剥離が開始することがなくなる。また、使用後の汚れた粘着テープ外周面を剥がす際には、汚れの付いていない非粘着部のめくり口を指で摘み、粘着テープの剥離方向にめくり上げることで、ロール体が自然に粘着テープの巻き回し方向（図１参照）に回転し、剥離は連続する切り込みに沿って進行するようになり、粘着テープの破断が不所望の方向に進行して破れることはなくなる。また、めくり口の反対側には非粘着部を設ける必要がないため、床などの隅の埃や毛屑まで粘着面に付着させることができる。
【図面の簡単な説明】
【００１１】
【図１】本発明による粘着テープロール体の斜視図。
【図２】図１のＡ部分の拡大図。
【発明を実施するための形態】
【００１２】
次に、本発明の実施形態を図面に基づいて説明する。
図１は、本発明による粘着テープロール体１が、支持柄８の先端部に接続された回転支持軸に装着された状態を示す斜視図である。粘着テープロール体１は、巻芯９とその外周面に多重に巻かれた粘着テープとから構成される。粘着テープは、その大部分の面積を占める、粘着質物により被われた粘着面部４とその一端側（図の右側）に設けられた、一定幅の非粘着部３とを有する。非粘着部３の幅は、めくり口２から非粘着部３を人差指と親指で摘める程度の５ｍｍから２０ｍｍ程度になされる。
【００１３】
めくり口２から、非粘着部３を経過して、粘着面部４の一部に至るまで、軸方向に平行する切り込みが入れられる。また、粘着テープロール体１のめくり口２と反対の側、つまり剥離終端部６側には、所定の長さで軸方向に平行する切り込みが入れられる。そして、両端の軸方向に平行な切り込み切り込みの間には、概略「く」の字形状の「く」字状切り込み５が、短い隙間を挟んで連続して入れられる。この連続した「く」字状切り込み５により、全体的に螺旋状の切り込み、換言すれば軸方向に対して傾いた切り込みが入れられたことになる。ここで、切り込みは、巻芯９に至るまで全層の粘着テープに入れられる。また、切り込みを、外周一周より３ｍｍから１０ｍｍ程長い間隔で入れてから、粘着テープを巻芯に巻き回せば、めくり口が少しずつ奥にずれて、めくりやすくなる。
なお、図１では「く」字状切り込み５が、図の手前側のみに形成されているように示されているが、これは図を見やすくするためであり、実際には「く」字状切り込み５は、概略一周するように連続して形成されているものである。
【００１４】
図２は、図１のＡの部分の詳細を示す図である。「く」字状切り込み５は、短い短辺部と長い長辺部とを有する。そして、短辺部は、ロール体１の軸芯に平行な切り込み平行部５ａとなっており、また長辺部は、ロール体１の軸芯に平行な線に対して傾いた切り込み斜行部５ｂとなっている。切り込み斜行部５ｂは、短い間隔を空けて連続して形成されており、そして全ての切り込み斜行部５ｂは展開すると一直線上に載るように形成されている。切り込み平行部５ａの図の左側端部は、切り込み斜行部５ｂの右下端部に接続されている。
【００１５】
次に、本発明の粘着テープロール体１から、使用済の汚れた粘着テープを剥離・除去する際の動作について説明する。使用済の粘着テープを剥離しようとするとき、ユーザは、まず粘着テープロール体１の一端にあるめくり口２に接する非粘着部３を摘まんで、使用済粘着テープをめくり上げる。すると、非粘着部３から粘着面部４にかけて形成された切り込み平行部に沿って剥離が開始され、切り込み平行部の図の左端にまで到達すると切り込み斜行部へと移行して斜め方向への剥離が始まる。このときの粘着テープの剥離方向が、図中上向き矢印にて示される。そして、剥離が、切り込み斜行部に沿って進むとき、粘着テープロール体１は、自然と図中下向き矢印にて示される巻き回し方向へ回転する。この剥離が、切り込み斜行部の先端にまで進行すると、粘着テープは、切り込み平行部５ａに直交する破断進行線１０に沿って破断され、図の右側部分がめくれ上がる。この部分での粘着テープの破断は、図示された破断進行線１０より左側に傾いて破断が進行する可能性もあるが、切り込み斜行部５ｂの傾き以上に傾くことはない。従って、この切り込みのない部分での破断はいずれにしても切り込み平行部５ａによって受け止められる。かくして、めくり上がりは最初の「く」字状切り込み５の切り込み平行部５ａにまで進行する。
【００１６】
剥離が「く」字状切り込み５に進行すると、引き続き切り込み平行部５ａから切り込み斜行部５ｂへと切り込みに沿ってめくり上がり、斜行部切り込み先端部５ｃにまで進行する。その後は、先の切り込みの途切れ部での動作と同様の動作により次の「く」字状切り込み５の切り込み平行部５ａへと剥離が進行する。そして、剥離は、連続する「く」字状切り込み５を次々に進行して、剥離終端部６側に形成された、ロール体軸芯と平行な切り込みである終端部切り込み７に到達する。最後に、終端部切り込み７に沿って剥離が進行し、汚染された一周分の粘着テープが剥離・分離される。
【符号の説明】
【００１７】
１  粘着テープロール体
２  めくり口
３  非粘着部
４  粘着面部
５  「く」字状切り込み
５ａ  切り込み平行部
５ｂ  切り込み斜行部
５ｃ  斜行部切り込み先端部
６  剥離終端部
７  終端部切り込み
８  支持柄
９  巻芯
１０  破断進行線
【図１】
2012034713.tif 000003
【図２】
2012034713.tif 000004